(57)【要約】【課題】災害時に簡単な操作で、避難場所までの音声案内を行う装置を提供する。【解決手段】テレビジョン装置１０が災害を検出した際、リモコン装置２０はＧＰＳセンサ２６から位置情報を取得し、リモコン装置２０の位置情報をサーバ装置３０に送信する。サーバ装置３０は、第３のメモリ３４上に記録された避難地域情報にリモコン装置２０の位置情報が含まれている場合、テレビジョン装置１０に避難経路情報を送信する。テレビジョン装置１０は、避難経路情報をリモコン装置２０に送信する。リモコン装置２０は、ＧＰＳセンサ２６と方位センサ２５から得た位置方位情報と避難経路情報を比較して、スピーカ２２を通じてユーザに避難経路音声案内を行う。【選択図】図１
2017182254.tif 000002
【特許請求の範囲】
【請求項１】
災害が発生した際に相互に通信するリモコン装置とテレビジョン装置から構成される災害避難通知システムであって、
前記リモコン装置は、
ユーザが入力を行うための第１の入力インターフェースと、
視聴覚情報を発する出力インターフェースと、
前記リモコン装置の位置情報または方位情報を特定するセンサと、
前記センサからの位置情報や方位情報、及び前記入力インターフェースで入力された情報を制御するリモコン情報処理部を備え、
前記テレビジョン装置は、
災害を検出する災害検出部と、
ネットワークを通じて外部機器と相互に通信する第１のネットワーク通信部と、
前記第１のネットワーク通信部の通信内容を処理するテレビジョン情報処理部とを備え、
前記テレビジョン装置の前記災害検出部が災害を検出すると、テレビジョン情報処理部は前記リモコン装置に位置情報を要求する信号を出力することを特徴とする災害避難通知システム。
【請求項２】
災害が発生した際に相互に通信するリモコン装置とテレビジョン装置から構成される災害避難通知システムであって、
前記リモコン装置は、
ユーザが入力を行うための第１の入力インターフェースと、
視聴覚情報を発する出力インターフェースと、
前記リモコン装置の位置情報または方位情報を特定するセンサと、
前記センサからの位置情報や方位情報、及び前記入力インターフェースで入力された情報を制御するリモコン情報処理部を備え、
前記テレビジョン装置は、
災害を検出する災害検出部と、
ネットワークを通じて外部機器と相互に通信する第１のネットワーク通信部と、
前記第１のネットワーク通信部の通信内容を処理するテレビジョン情報処理部とを備え、
前記リモコン装置の前記入力インターフェースで災害が発生した情報が入力されると、前記リモコン情報処理部は前記センサが特定する位置情報または方位情報を前記テレビジョン装置に出力することを特徴とする災害避難通知システム。
【請求項３】
ネットワークを通じて外部機器と相互に通信する第２のネットワーク通信部と、
災害発生時の避難経路情報と避難地域及び災害警戒地域を記憶するメモリと、
前記第２のネットワーク通信部を通じて送信する情報を決定するサーバ情報処理部とを備えるサーバ装置をさらに備え、
前記サーバ装置は、前記リモコン装置から送信された前記位置情報または前記方位情報を受信すると、前記サーバ情報処理部は前記位置情報または前記方位情報から判断して前記メモリに記憶される避難経路情報を前記ネットワークを通じて前記テレビジョン装置に出力する請求項１記載または請求項２に記載の災害避難通知システム。
【請求項４】
前記テレビジョン装置は映像信号を表示するための表示部を備え、前記サーバ装置から受信する前記避難経路情報を前記表示部に表示することを特徴とする請求項１から請求項３のいずれかに記載の災害避難通知システム。
【請求項５】
前記テレビジョン装置は前記サーバ装置から受信する前記避難経路情報を前記リモコン装置に送信し、前記リモコン装置の前記出力インターフェースは前記避難経路情報に関わる音声を出力することを特徴とする請求項１から請求項３のいずれかに記載の災害避難通知システム。
【発明の詳細な説明】
【技術分野】
【０００１】
本開示は、地震等の避難が必要な環境異常事態が発生した場合、簡易な操作で音声案内機器として機能する、インターネットテレビジョン装置及びその操作用のリモコン装置を利用する、災害避難通知システムに関する。
【背景技術】
【０００２】
従来、災害時における安否確認方法や避難誘導方法が多数検討されている。
【０００３】
特許文献１は、災害を通知し、安否応答を簡易な操作で外部のサーバに送信可能なインターネットテレビジョン装置を開示する。このインターネットテレビジョン装置またはサーバで災害を検出した際、サーバから災害時における質問事項がインターネットテレビジョン装置に送信される。ユーザはこの質問に応答することで、災害時での状態をサーバに送信する。これにより、災害発生をユーザに気づきやすくすることができる。
また、サーバの情報を自治体などが管理することで、インターネットテレビジョン装置を用いているユーザの安否情報を、ユーザの複雑な操作無しで一箇所に集めることができる。
【０００４】
非特許文献１は、インターネットテレビジョン装置を用いたシステムとして政府が検討しているものであり、個人番号カードの情報とインターネットテレビジョン装置を、紐付けたシステムを開示する。これにより、災害発生時各テレビジョン装置に対し、個人情報に基づいた各ユーザに適切な状況情報、避難指示情報を配信することができる。
【先行技術文献】
【特許文献】
【０００５】
スマートテレビジョン装置連携・地域防災等対応システム」普及展開シンポジウム  資料２  
【特許文献１】特開２０１４−２３５４９６号公報
【非特許文献】
【０００６】
【非特許文献１】「スマートテレビジョン装置連携・地域防災等対応システム」普及展開シンポジウム  資料２  機構事務局説明資料［平成２７年１月２８日検索］、インターネット<ＵＲＬ：<http://www.soumu.go.jp/main_sosiki/kenkyu/ict-town/02tsushin01_03000345.html>
【発明の概要】
【発明が解決しようとする課題】
【０００７】
上述した特許文献１のシステムでは、災害発生時において避難が必要な場合、避難中のユーザは安否情報確認や避難経路情報の受信ができない。
【０００８】
また、非特許文献１のシステムでは、スマートフォンなどの連携が考えられているが、年配のユーザにはスマートフォンなどの操作に不慣れな者も多い。
【０００９】
そこで、本開示は、操作負担を軽減しつつ、災害時に避難が必要な場合において、避難経路を案内するのに有効なインターネットテレビジョン装置及びその操作用のリモコン装置を利用する、災害避難通知システムを提供する。
【課題を解決するための手段】
【００１０】
本開示における災害避難通知システムは、災害が発生した際に相互に通信するリモコン装置とテレビジョン装置から構成され、リモコン装置は、ユーザが入力を行うための第１の入力インターフェースと、視聴覚情報を発する出力インターフェースと、リモコン装置の位置情報または方位情報を特定するセンサと、センサからの位置情報や方位情報、及び入力インターフェースで入力された情報を制御するリモコン情報処理部を備え、またテレビジョン装置は、災害を検出する災害検出部と、ネットワークを通じて外部機器と相互に通信する第１のネットワーク通信部と、第１のネットワーク通信部の通信内容を処理するテレビジョン情報処理部とを備え、テレビジョン装置の災害検出部が災害を検出すると、テレビジョン情報処理部はリモコン装置に位置情報を要求する信号を出力する。
【００１１】
この災害避難通知システムでは、テレビジョン装置が災害を感知した場合には、リモコン装置にリモコン装置の位置情報を要求するので、災害時のリモコン装置の位置を把握することができる。
本開示における災害避難通知システムは、前記リモコン装置は、ユーザが入力を行うための第１の入力インターフェースと、視聴覚情報を発する出力インターフェースと、リモコン装置の位置情報または方位情報を特定するセンサと、センサからの位置情報や方位情報、及び入力インターフェースで入力された情報を制御するリモコン情報処理部を備え、テレビジョン装置は、災害を検出する災害検出部と、ネットワークを通じて外部機器と相互に通信する第１のネットワーク通信部と、第１のネットワーク通信部とリモコン通信部の通信内容を処理するテレビジョン情報処理部とを備え、リモコン装置の前記入力インターフェースで災害が発生した情報が入力されると、リモコン情報処理部は前記センサが特定する位置情報または方位情報をテレビジョン装置に出力する。
この災害避難通知システムでは、災害が発生した際に、リモコン装置の入力インターフェースから情報が入力されるとリモコン装置の位置情報をテレビジョン装置に出力されるので、テレビジョン装置は災害時のリモコン装置の位置を把握することができる。
本開示における災害避難通知システムは、ネットワークを通じて外部機器と相互に通信する第２のネットワーク通信部と、災害発生時の避難経路情報と避難地域及び災害警戒地域を記憶するメモリと、第２のネットワーク通信部を通じて送信する情報を決定するサーバ情報処理部とを備えるサーバ装置をさらに備え、サーバ装置は、リモコン装置から送信された位置情報または方位情報を受信すると、サーバ情報処理部は位置情報または方位情報から判断してメモリに記憶される避難経路情報をネットワークを通じてテレビジョン装置に出力する。
この災害避難通知システムでは、災害発生時に、サーバ装置からネットワークを通じて避難経路情報がテレビジョン装置に出力される。
また、この災害避難通知システムでは、テレビジョン装置は映像信号を表示するための表示部を備え、サーバ装置から受信する避難経路情報を表示部に表示することもでき、またサーバ装置から受信する避難経路情報をリモコン装置に送信し、リモコン装置の出力インターフェースから避難経路情報に関わる音声を出力することもできる。
【発明の効果】
【００１２】
本開示における災害避難通知システムは、災害時に避難情報が必要な場所を特定し、必要な情報を提供することができる。また、ユーザの操作負担を軽減してユーザを近隣の避難所までの経路を案内することが可能となる。
【図面の簡単な説明】
【００１３】
【図１】本開示の災害避難通知システムの実施の形態１における、テレビジョン装置、リモコン装置、サーバ装置の主要構成を示すブロック図
【図２】本開示の災害避難通知システムの実施の形態１における、テレビジョン装置が災害を検出した場合の、テレビジョン装置およびリモコン装置の動作を説明するためのフローチャートを示す図
【図３】本開示の災害避難通知システムの実施の形態１における、サーバ装置の避難経路情報送信動作を説明するためのフローチャートを示す図
【図４】本開示の災害避難通知システムの実施の形態１における、リモコン装置の音声案内動作を説明するためのフローチャートを示す図
【図５】本開示の災害避難通知システムの実施の形態１における、テレビジョン装置が災害を検出した場合の、通信を説明するためのシーケンスを示す図
【図６】本開示の災害避難通知システムの実施の形態２における、テレビジョン装置、リモコン装置、サーバ装置の主要構成を示すブロック図
【図７】本開示の災害避難通知システムの実施の形態２における、リモコン装置のユーザが災害を察知した場合の、テレビジョン装置及びリモコン装置の動作を説明するためのフローチャートを示す図
【図８】本開示の災害避難通知システムの実施の形態２における、リモコン装置のユーザが災害を察知した場合の、通信を説明するためのシーケンスを示す図
【図９】本開示の災害避難通知システムの実施の形態３における、テレビジョン装置、リモコン装置、サーバ装置の主要構成を示すブロック図
【図１０】本開示の実施の形態３における、サーバ装置のユーザが災害を察知した場合の、サーバ装置の動作を説明するためのフローチャートを示す図
【発明を実施するための形態】
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
（実施の形態１）
以下、図１〜５を用いて、実施の形態１を説明する。
［１−１．構成］
［１−１−１．ネットワーク接続構成］
図１は、災害非難通知システム１００の構成要素である、テレビジョン装置１０、リモコン装置２０、サーバ装置３０のそれぞれの構成を示すブロック図である。
【００１５】
テレビジョン装置１０は、第１の通信部２７を介してリモコン装置２０の第２の通信部１７と接続されている。第１の通信部２７と第２の通信部１７は、無線及び赤外線などの遠隔通信により接続可能である。
【００１６】
テレビジョン装置１０は、第３の通信部１５を介して、サーバ装置３０の第４の通信部３５と接続されている。第３の通信部１５及び第４の通信部３５は、インターネット回線などを介して接続可能である。
テレビジョン装置１０がリモコン装置２０と接続されている状態において、リモコン装置２０は、テレビジョン装置１０の要求に応じて、リモコン装置２０の位置情報およびボタン入力情報をテレビジョン装置１０に対して送信する。
テレビジョン装置１０がサーバ装置３０と接続されている状態において、テレビジョン装置１０は、サーバ装置３０の要求に応じて、リモコン装置２０の位置情報をリモコン装置２０から受信し、サーバ装置３０に対して送信する。
テレビジョン装置１０がサーバ装置３０と接続されている状態において、テレビジョン装置１０が災害を検出した場合、災害の種類および発生時刻の情報を、サーバ装置３０に対して送信する。
サーバ装置３０は避難経路情報、避難地域情報、災害警戒地域情報及び災害警戒情報を格納する。避難経路情報とは、災害が発生した場合に地図上のどの経路を通るべきかを示す情報である。避難経路情報は、例えば、「大阪府○○市―経路A」のような状態で、対象となる地域と関連付けられた状態で格納されている。避難地域情報とは、災害が発生した場合等で現在避難を必要とする地域の情報である。災害警戒地域情報とは、災害が発生した場合等で、警戒を必要とする地域の情報である。災害警戒情報とは、災害が発生した場合等で、災害発生場所付近のユーザに知らせるべき情報である。
サーバ装置３０は、テレビジョン装置１０がサーバ装置３０と接続されている状態において、テレビジョン装置１０からサーバ装置３０に送信されたリモコン装置２０の位置情報及びサーバ装置に格納された避難地域情報と災害警戒地域情報に応じて、避難経路情報及び災害警戒情報をテレビジョン装置１０に対して送信する。
テレビジョン装置１０がリモコン装置２０と接続されている状態かつテレビジョン装置１０が避難経路情報を格納している状態において、テレビジョン装置１０は、リモコン装置２０の要求に応じて、避難経路情報をリモコン装置２０に対して送信する。
［１−１−２．テレビジョン装置の構成］
テレビジョン装置１０は、第１の情報処理部１１と災害検出部１３と第１のメモリ１４と第３の通信部１５と画像を表示する表示部としてのテレビ画面１６と第２の通信部１７を備える。
災害検出部１３は地震、火事などの災害がテレビジョン装置１０のある位置で発生したことを検出する。災害検出部１３は、温度センサや地震計などの検出機器から構成されるものである。災害検出部１３が災害を検出すると第１の情報処理部１１は第３の通信部１５を介してネットワークに災害検知情報を出力する。
第１のメモリ１４は、第２の通信部１７からリモコン装置２０の位置情報を受信した場合、及び第３の通信部１５から避難経路情報および災害警戒情報を受信した場合に、これらの位置情報、避難経路情報、災害警戒情報を格納する。
第１の情報処理部１１はソフトウェアまたはファームウェアで記載されたコンピュータプログラムに従い、テレビジョン装置１０全体を制御する。
テレビ画面１６は第１の情報処理部１１に従い、ネットワークから受信した災害警戒情報や、第１のメモリ１４に格納された災害警戒情報、避難経路情報を画面に表示する。
［１−１−３．リモコン装置の構成］
リモコン装置２０は第２の情報処理部２１とスピーカ２２とボタン２３と第２のメモリ２４と方位センサ２５とＧＰＳセンサ２６と第１の通信部２７を備える。
【００１７】
スピーカ２２は第２の情報処理部２１に従い音声を発する。ボタン２３はユーザの入力を受け付ける。方位センサ２５はリモコン装置２０の向く方向を検出する。ＧＰＳセンサ２６は地図上におけるリモコン装置２０の位置情報を検出する。
第２の情報処理部２１はソフトウェアまたはファームウェアで記載されたコンピュータプログラムに従い、リモコン装置２０全体を制御する。
スピーカ２２は出力インターフェースの一例として用いる。スピーカ２２は、音声または映像を発し、ユーザに通知を行なえるものであればよいため、スピーカ２２に限定されない。ボタン２３は入力インターフェースの一例として用いる。ボタン２３は、ユーザの要求入力を信号として、変換できるものであればよいため、ボタン２３に限定されない。方位センサ２５及びＧＰＳセンサ２６は位置情報または方位を測定するセンサの一例として用いる。方位センサ２５及びＧＰＳセンサ２６は位置情報または方位を測定できるセンサであればよいため、方位センサ２５及びＧＰＳセンサ２６に限定されない。
［１−１−４．サーバ装置の構成］
サーバ装置３０は、第３の情報処理部３１と第３のメモリ３４と第４の通信部３５を備える。第３のメモリ３４には、避難経路情報、避難地域情報、災害警戒地域情報及び災害警戒情報を格納しており、これらの情報は外部からの通信手段（図示せず）により逐次更新されている。例えば、気象情報、地震情報、または交通情報等の情報提供を行う機関の設備から情報を得ることも可能である。
第３の情報処理部３１は、ネットワークを経由して送信される災害情報や位置情報と、第３のメモリ３４に格納する対応する情報を比較し、第４の通信部３５を介して適切な情報を選択して適切なテレビジョン装置１０に送信するように制御する。
［１−２．動作］
以上のように構成された災害非難通知システムを構成する、テレビジョン装置１０、リモコン装置２０およびサーバ装置３０について、その動作を以下に説明する。
本実施の形態の災害非難通知システム１００では、テレビジョン装置１０、リモコン装置２０、サーバ装置３０は災害検出、位置情報の取得、避難地域情報及び災害警戒地域情報と位置情報の比較、音声案内の各動作を行う。テレビジョン装置１０が災害を検出することで動作が開始される。以下、それぞれの動作について詳細に説明する。
［１−２−１．災害検出］
図２は、災害検出から音声案内までの、テレビジョン装置１０およびリモコン装置２０の動作を説明するためのフローチャートである。
【００１８】
テレビジョン装置１０は、災害検出部１３で、災害を検出する（ステップＳ１１）。ここで例として、災害検出部１３として地震計を備えている場合を考える。テレビジョン装置１０が設置されている地域に地震が発生し、災害検出部１３が地震を検出した場合（ステップＳ１１：Ｙｅｓ）、例えば災害検出部１３の地震計が、あらかじめ設定した震度を超えた振動を検出した場合、第１の情報処理部１１は災害検出部１３から検出情報を受け、第１の情報処理部１１は地震が発生したと判断する。
災害検出部１３が、震度を検出しない、あるいはあらかじめ設定した震度を超えた振動と判断しない場合は、継続して災害の発生を監視し続ける（ステップＳ１１：Ｎｏ）。災害検出部１３の検出感度はユーザが任意に設定できる。
［１−２−２．位置情報の取得］
図２において、テレビジョン装置１０が災害を検出した場合、テレビジョン装置１０の第１の情報処理部１１は、リモコン装置２０の位置情報を取得する。具体的には、第１の情報処理部１１は、第２の通信部１７から、リモコン装置２０へ、リモコン装置２０の位置情報を送信する要求を行う（ステップＳ１２）。リモコン装置２０は、テレビジョン装置１０からの位置情報の送信要求を受信すると、第２の情報処理部２１は、第２のメモリに記憶されている位置情報をテレビジョン装置１０へ送信するように第１の通信部２７を制御する。
【００１９】
テレビジョン装置１０は、受信したリモコン装置２０の位置情報を第１のメモリ１４に記憶し、第１の情報処理部１１は、第１のメモリ１４に記憶したリモコン装置２０の位置情報を、ネットワークを介してサーバ装置３０へ出力するように、第３の通信部を制御する（ステップＳ１３）。
続けてリモコン装置２０の位置情報をサーバ装置３０に送信するまでの動作（図２（１）のフロー）を、図５を用いて詳細に説明を行う。
【００２０】
図５は、テレビジョン装置１０が災害を検出したと判断した場合の、テレビジョン装置１０、リモコン装置２０およびサーバ装置３０の相互の通信状態を説明するためのシーケンス図である。
【００２１】
図５において、テレビジョン装置１０が災害を検出すると（ステップＳ１１）、テレビジョン装置１０はリモコン装置２０に位置情報を要求する（ステップＳ１２ａ）。リモコン装置２０は位置情報を要求されると、ＧＰＳセンサ２６によりリモコン装置２０の位置情報を取得する。取得したリモコン装置２０の位置情報は、リモコン装置２０からテレビジョン装置１０に送信される（ステップＳ１２ｂ）。テレビジョン装置１０は、受信したリモコン装置２０の位置情報をサーバ装置３０に送信する（ステップＳ１３）。
［１−２−３．避難地域情報及び災害警戒地域情報と位置情報の比較］
図２において、サーバ装置３０が、リモコン装置２０の位置情報を取得した後（ステップＳ１３）、サーバ装置３０の第３の情報処理部３１は、第３のメモリ３４に格納された避難地域情報及び災害警戒地域情報と、リモコン装置２０の位置情報を比較する。第３のメモリ３４に格納された避難地域情報及び災害警戒地域情報は、災害の発生により避難が必要な地域や警戒が必要な地域に係る情報が格納されている。第３の情報処理部３１が、避難地域及び災害警戒地域情報と位置情報の比較を行う流れを、図３を用いて詳細に説明を行う。
図３は、第３の情報処理部３１が避難地域情報及び災害警戒地域情報と、リモコン装置２０の位置情報を比較する動作を説明するフローチャートである。
【００２２】
サーバ装置３０は、リモコン装置２０の位置情報（図３（１））を取得するまで待機状態にある（ステップＳ２１）。サーバ装置３０がテレビジョン装置１０から、リモコン装置２０の位置情報を取得する（ステップＳ２１：Ｙｅｓ）と、第３の情報処理部３１は、リモコン装置２０の位置情報と、第３のメモリ３４に格納された避難地域情報を比較する。リモコン装置２０の位置情報が情報に係る避難地域に含まれている場合（ステップＳ２２：Ｙｅｓ）、サーバ装置３０は、避難経路情報（２）及び災害警戒情報（３）を、位置情報を送信してきたテレビジョン装置１０に送信する（ステップＳ２３、ステップＳ２５）。
リモコン装置２０の現在地が避難地域に含まれておらず（ステップＳ２２：Ｎｏ）、リモコン装置２０の位置情報が災害警戒地域に含まれる場合（ステップＳ２４：Ｙｅｓ）、サーバ装置３０は、災害警戒情報（３）を、位置情報を送信してきたテレビジョン装置１０に対し送信する（ステップＳ２５）。
また、リモコン装置２０の位置情報が避難地域及び災害警戒地域に含まれない場合、サーバ装置３０は、テレビジョン装置１０には情報を送信しない（ステップＳ２２、ステップＳ２４がともにＮｏ）。
【００２３】
図２において、テレビジョン装置１０が災害警戒情報を受信（図２（３））した場合（ステップＳ１４：Ｙｅｓ）、第１の情報処理部１１は、テレビ画面１６に災害警戒情報を表示する（ステップＳ１５）。テレビジョン装置１０が、災害警戒情報を受信しない場合、テレビジョン装置１０は待機状態を続ける（ステップＳ１４：Ｎｏ）。
テレビジョン装置１０が、避難経路情報を受信（図２（２））した場合（ステップＳ１６：Ｙｅｓ）、第１の情報処理部１１は、テレビ画面１６に、リモコン装置２０による音声案内が可能であることを表示する（ステップＳ１７）。テレビジョン装置１０が、避難経路情報を受信しない場合、テレビジョン装置１０は、災害警戒情報を表示したまま待機状態を続ける（ステップＳ１６：Ｎｏ）。
テレビ画面１６に音声案内が可能であることが表示された状態で、ユーザがリモコン装置２０のボタン２３などを用いて音声案内を要求した場合、リモコン装置２０による音声案内を開始する（ステップＳ１８）。
［１−２−４．音声案内］
図２において、ユーザが音声案内を要求すると、リモコン装置２０は避難経路を音声で案内する装置に切り替わる。この音声案内の動作について、図４を用いて詳細に説明を行う。図４は、リモコン装置２０が、ユーザを音声で避難場所まで案内する動作を説明するフローチャートである。
図４において、リモコン装置２０はテレビジョン装置１０から避難経路情報を受信する。リモコン装置２０は、受信した避難経路情報を、第２のメモリ２４に格納する（ステップＳ３１）。
ユーザはリモコン装置２０を持ち、避難経路をたどり避難場所まで移動する。ＧＰＳセンサ２６は位置情報を検出する（ステップＳ３２）。方位センサ２５はリモコン装置２０の向いている方向を検出する（ステップＳ３３）。ＧＰＳセンサ２６で得た位置情報が、第２のメモリ２４に格納された避難経路情報と異なる場合（ステップＳ３４：Ｙｅｓ）、第２の情報処理部２１は、スピーカ２２により、ユーザに避難経路からずれていることを通知する（ステップＳ３６）。
方位センサ２５で得たリモコン装置２０の向いている方向が、第２のメモリ２４に格納された避難経路情報と異なる場合（ステップＳ３５：Ｙｅｓ）、第２の情報処理部２１は、スピーカ２２により、ユーザに避難経路からずれていることを通知する（ステップＳ３６）。位置情報も方向情報も避難経路からずれていない場合、音声による通知は行わない（ステップＳ３４、ステップＳ３５ともにＮｏ）。また、ユーザがボタン２３等で音声による通知を要求した場合に、第２の情報処理部２１は、第２のメモリ２４に格納された避難経路情報と、ＧＰＳセンサ２６により検出された位置情報及び方位センサ２５により検出された方位情報を比較し、ユーザが避難所まで進むべき道を求めても良い。
さらに、リモコン装置２０は、この避難所まで進むべき道をスピーカ２２によってユーザに通知しても良い。例えば、ユーザがリモコン装置２０を所持し、ユーザが避難経路上に位置し、リモコン装置２０が避難所の方向を向いており、避難経路上であと３０メートル直進すれば避難所に到着する場合で、ユーザがボタン２３などで音声による通知を要求した場合、リモコン装置２０は、スピーカ２２から、「３０メートル、直進してください」と音声を発する。
スピーカから発せられる音声情報は、あらかじめリモコン装置２０の第２のメモリ２４に格納されている。避難経路からの位置、方向のずれから、適切な音声を第２の情報処理部が判別し、発音する。
ユーザが避難場所に到着したなどの理由で、音声案内終了を要求した場合（ステップＳ３７：Ｙｅｓ）、リモコン装置２０は、音声案内を終了する。ユーザが音声案内終了を要求しない限り（ステップＳ３７：Ｎｏ）、リモコン装置２０はＧＰＳセンサによる位置情報取得動作（ステップＳ３２）に戻る。
［１−３．効果等］
以上のように、本実施の形態において、テレビジョン装置１０が災害を検出した際、サーバ装置３０は、リモコン装置２０の位置情報に基づき、テレビジョン装置１０に災害警戒情報を送信する。これにより、サーバ装置３０は、ある災害発生地域にいるテレビジョン装置のユーザに、そのユーザがいる場所の被災状況に応じて、適切な災害警戒情報を送信することができる。
また、リモコン装置２０は、サーバ装置３０からテレビジョン装置１０を介して避難経路情報を受信する。避難経路情報を受信した後、リモコン装置２０は避難経路までの音声案内装置として機能する。
これにより、ユーザは、テレビジョン装置１０を離れて避難場所に向かう際に、避難経路までの情報を音声で得ることができる。そのため、より安全に避難経路を移動し、避難場所に移動することができる。
（実施の形態２）
以下、図６〜８を用いて、本開示の災害避難通知システムに関わる他の実施の形態を説明する。
［２−１．構成］
図６は、本開示の災害避難通知システムを構成するテレビジョン装置１０、リモコン装置２０、サーバ装置３０の構成を示すブロック図である。
【００２４】
本実施の形態のリモコン装置２０は、図１のリモコン装置２０と比較して、災害通知ボタン２８をさらに備える。また、本実施の形態のテレビジョン装置１０は、図１のテレビジョン装置１０と比較して、災害検出部１３を持たない。その他の構成は、（実施の形態１）で説明した災害避難通知システムと同等である。
［２−２．動作］
テレビジョン装置１０、リモコン装置２０、サーバ装置３０について、その動作を以下説明する。テレビジョン装置１０、リモコン装置２０、サーバ装置３０は災害通知及び位置情報の取得、避難地域情報及び災害警戒地域情報と位置情報の比較、音声案内の各動作を行う。災害が発生した際に、リモコン装置２０のユーザが、災害を察知し避難が必要と考えた場合に、リモコン装置２０を操作することで動作が開始される。以下、それぞれの動作について詳細に説明する。
［２−２−１．災害通知及び位置情報の取得］
図７は、災害検出から音声案内までの、テレビジョン装置１０及びリモコン装置２０の動作を説明するためのフローチャートである。また本実施の形態では、テレビジョン装置１０及びリモコン装置２０のユーザが地震や大雨などの災害に遭遇した場合、または察知した場合の動作について説明する。
リモコン装置２０を使用する場所で災害が発生した時にリモコン装置２０のユーザは、災害通知ボタン２８を押す（ステップＳ４１）。リモコン装置２０の第２の情報処理部２１は、災害通知ボタン２８が押されたことを受けて現在のリモコン装置の位置の検出動作を行う（ステップＳ１２）。具体的には第２の情報処理部２１がＧＰＳセンサ２６から、現在のリモコン装置２０のＧＰＳ情報を取得する。
第２の情報処理部２１がリモコン装置の位置を検出したら、その後の動作は、実施の形態１のステップＳ１２以降のテレビジョン装置１０及びリモコン装置２０の動作と同等である。リモコン装置２０の位置情報をサーバ装置３０に送信するまでの動作を、図１０を用いて詳細に説明を行う。
【００２５】
図１０は、リモコン装置２０が災害を検出した場合における、テレビジョン装置１０、リモコン装置２０、サーバ装置３０間の通信を説明するためのシーケンス図である。
まず災害通知ボタン２８が押されると（ステップＳ６１）、リモコン装置２０は、ＧＰＳセンサ２６からリモコン装置２０の位置情報を取得する。取得した位置情報は、リモコン装置２０からテレビジョン装置１０に送信される（ステップＳ１２）。さらにテレビジョン装置１０は、受信したリモコン装置２０の位置情報をサーバ装置３０に送信する（ステップＳ１３）。
［２−２−２．避難地域情報及び災害警戒地域情報と位置情報の比較、音声案内］
避難地域情報及び災害警戒地域情報と位置情報の比較、音声案内の動作については、実施の形態１と同等である。
［２−３．効果等］
以上のように、本実施の形態において、リモコン装置２０のユーザが災害を察知した際、リモコン装置を使ってリモコン装置２０の位置情報をテレビジョン装置１０を経由してサーバ装置３０へ送信する。サーバ装置３０は、リモコン装置２０の位置情報に基づき、災害発生時において、テレビジョン装置１０に対し、そのテレビジョン装置１０とリモコン装置２０の位置情報に適する避難地域情報及び災害警戒地域情報を送信する。
これにより、テレビジョン装置１０が災害を検出しない場合かつ、リモコン装置２０のユーザが災害発生を察知した場合、サーバ装置３０に災害発生情報を通知することが出来る。
（実施の形態３）
以下、図９〜図１０を用いて、実施の形態３を説明する。
［３−１．構成］
図９は、本開示の実施の形態３における、テレビジョン装置１０、リモコン装置２０、サーバ装置３０の構成を示すブロック図である。
本実施の形態のサーバ装置３０は、図１のサーバ装置３０と比較して、出力インターフェース３２及び入力インターフェース３３をさらに備える。また、本実施の形態のテレビジョン装置１０は、図１のテレビジョン装置１０と比較して、災害検出部１３を持たない。
【００２６】
また、本実施の形態のサーバ装置３０は、第３のメモリ３４に避難経路情報、避難地域情報、災害警戒地域情報、災害警戒情報及びテレビジョン装置所在地情報を格納する。テレビジョン装置所在地情報とは、例えば、「大阪府○○市―テレビＡ」のような状態で、対象となるテレビジョン装置と、そのテレビジョン装置の位置情報が関連付けられた状態で格納されている。
避難経路情報、避難地域情報、災害警戒地域情報、災害警戒情報及びテレビジョン装置所在地情報は、出力インターフェース３２及び入力インターフェース３３により、自治体などのユーザが確認及び変更することができる。
【００２７】
その他の構成は、実施の形態１と同等である。
［３−２．動作］
テレビジョン装置１０、リモコン装置２０、サーバ装置３０について、その動作を以下説明する。テレビジョン装置１０、リモコン装置２０、サーバ装置３０は災害通知、音声案内の各動作を行う。災害が発生した際または災害が予測される際、サーバ装置３０のユーザが、リモコン装置２０のユーザに対して避難を促したい場合に、サーバ装置３０を操作することで動作が開始される。以下、それぞれの動作について詳細に説明する。
［３−２−１．災害通知］
図１０は、災害通知から音声案内までの、サーバ装置３０の動作を説明するためのフローチャートである。
【００２８】
サーバ装置３０を、自治体などのユーザが用いることを考える。自治体などのユーザが、水害などの災害を察知し、テレビジョン装置１０を使用しているユーザに避難を促したい場合を考える。自治体などのユーザは、入力インターフェース３３を用いて、サーバ装置３０が、テレビジョン装置１０に対し、避難経路情報及び災害警戒情報を送信する命令を出す。
【００２９】
サーバ装置３０は、入力インターフェース３３から、避難経路情報及び災害警戒情報を送信する命令を受けると、第３のメモリ３４に格納されている避難地域情報及び災害警戒地域情報と、第３のメモリ３４に格納されているテレビジョン装置所在地情報の比較を行う。
【００３０】
テレビジョン装置所在地情報の位置情報が、避難地域に含まれている（ステップＳ５１：Ｙｅｓ）テレビジョン装置１０に対して、サーバ装置３０は、避難経路情報（２）及び災害警戒情報（３）を、送信する（ステップＳ５２、ステップＳ５４）。テレビジョン装置所在地情報の位置情報が、避難地域に含まれておらず（ステップＳ５１：Ｎｏ）、かつ災害警戒地域に含まれる（ステップＳ５３：Ｙｅｓ）、テレビジョン装置１０に対して、サーバ装置３０は、災害警戒情報（３）を送信する（ステップＳ５４）。テレビジョン装置所在地情報の位置情報が、避難地域及び災害警戒地域に含まれていないテレビジョン装置１０に対して、サーバ装置３０は、情報を送信しない（ステップＳ５１、ステップＳ５３がともにＮｏ）。
【００３１】
サーバ装置３０から避難経路情報（２）及び災害警戒情報（３）が出力された以降のテレビジョン装置１０及びリモコン装置２０の動作は、実施の形態１の図２のステップステップＳ１４以降の動作と同等であるため、ここではその説明は省略する。
［３−３．効果等］
以上のように、本実施の形態において、サーバ装置３０を用いている自治体などのユーザが災害を察知した際、サーバ装置３０は、第３のメモリ３４に格納されたテレビジョン装置所在地情報に基づき、テレビジョン装置１０ごとに災害警戒情報および避難経路情報を送信する。
これにより、水害などの発生まで時間がかかる災害において、自治体などのユーザが避難誘導を行いたい場合、サーバ装置３０を利用して、自治体などのユーザは、避難誘導したい地域にいるテレビジョン装置のユーザに、場所ごとに対応した災害警戒情報及び避難経路情報を通知することが出来る。また、避難地域にいるユーザには、リモコン装置２０を用いて避難経路を音声により誘導することが出来る。
（他の実施の形態）
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【００３２】
そこで、以下、他の実施の形態を例示する。
【００３３】
実施の形態１では、位置情報を取得するセンサの一例として、ＧＰＳセンサ２６を説明した。ＧＰＳセンサ２６は、地図上におけるリモコン装置２０の位置情報を検出できるものであればよい。したがって、位置情報を取得するセンサはＧＰＳセンサ２６に限定されない。位置情報を取得するセンサとして、無線ＬＡＮ受信部を用いても良い。位置情報を取得するセンサとして、無線ＬＡＮ受信部を用いれば、ユーザが避難場所に移動している最中でも避難経路情報を更新することができる。
（実施の形態１）では、方向情報を取得するセンサの一例として、方位センサ２５を説明した。方位センサ２５は、地図上におけるリモコン装置２０の方向情報を検出できるものであればよい。したがって、方向情報を取得するセンサは方位センサ２５に限定されない。
【００３４】
（実施の形態１）では、避難経路案内をユーザに通知する装置の一例として、スピーカ２２を説明した。避難経路案内をユーザに通知する装置は、ユーザに経路情報を音声または画面によって通知できるものであればよい。したがって、避難経路案内をユーザに通知する装置はスピーカ２２に限定されない。ただし、避難経路案内をユーザに通知する装置としてスピーカ２２を用いれば、テレビジョン装置１０をテレビジョン装置放送視聴に用いる場合、テレビジョン装置１０から離れた場所でも音声を、リモコン装置２０からテレビジョン装置放送の音声を発することで聞こえやすくすることができる。また、避難経路案内をユーザに通知する装置として、液晶画面を用いても良い。避難経路案内をユーザに通知する装置として、液晶画面を用いれば、避難経路情報を地図として表示することで、より詳細に避難経路をユーザに対して案内することができる。
（実施の形態１）では、ユーザの要求をテレビジョン装置１０及びリモコン装置２０に通知する装置の一例として、ボタン２３を説明した。ユーザの要求をテレビジョン装置１０及びリモコン装置２０に通知する装置は、ユーザの要求入力を信号として、変換できるものであればよい。したがって、ユーザの要求をテレビジョン装置１０及びリモコン装置２０に通知する装置はボタン２３に限定されない。ただし、ユーザの要求をテレビジョン装置１０及びリモコン装置２０に通知する装置としてボタン２３を用いれば、既存のリモコンと同様の操作方法でユーザの要求をテレビジョン装置１０またはリモコン装置２０に発信することができる。
また、ユーザの要求をテレビジョン装置１０及びリモコン装置２０に通知する装置として、タッチパネルを用いても良い。ユーザの要求をテレビジョン装置１０及びリモコン装置２０に通知する装置として、タッチパネルを用いれば、タッチパネル上の位置情報を用いた複雑な入力をテレビジョン装置１０及びリモコン装置２０に通知することができる。
（実施の形態１）では災害検出部１３の一例として、地震計を用いる場合を説明した。災害検出部１３は災害を検出できるものであればよい。したがって、災害検出部１３は地震計に限定されない。
（実施の形態１）ではテレビジョン装置１０が災害を検出する場合を説明した。テレビジョン装置１０が災害を検出した場合、災害の発生時間や災害の内容などの災害情報を、第１のメモリ１４に格納しても良い。また、格納された災害情報を、位置情報をサーバ装置３０に送信する際、あわせて送信しても良い。災害情報をサーバ装置３０に送信する場合、サーバ装置３０を用いる自治体等のユーザは、出力インターフェース３２を用いることで災害情報を閲覧することができる。そのため、避難地域及び災害警戒地域を設定する参考にすることができる。
【００３５】
（実施の形態１）では、音声案内の動作で用いられる音声情報は第２のメモリ２４に格納されていることを説明した。音声情報は、第３のメモリ３４に格納し、サーバ装置３０から避難経路情報をリモコン装置２０まで送信する際に、同時に送信しても良い。ただし、音声情報を第２のメモリ２４にあらかじめ格納し、避難経路と実際の位置のずれから発する音声を決定する方法の場合、サーバ装置３０からリモコン装置２０まで音声情報を送信する必要がないため、通信する情報量を少なくすることができる。
なお、上述の実施の形態は、本開示における技術を例示するためのものであるから、特許請求の範囲またはその均等の範囲において種々の変更、置き換え、付加、省略などを行うことができる。
【産業上の利用可能性】
【００３６】
本開示は、インターネットなどの通信網を用いてサーバに接続可能な、表示装置およびその操作装置に適用可能である。具体的には、テレビジョン装置およびそのリモコン等に、本開示は適用可能である。
【符号の説明】
【００３７】
１０  テレビジョン装置
１１  第１の情報処理部  
１３  災害検出部
１４  第１のメモリ
１５  第３の通信部
１６  テレビ画面
１７  第２の通信部
２０  リモコン装置
２１  第２の情報処理部
２２  スピーカ
２３  ボタン
２４  第２のメモリ
２５  方位センサ
２６  ＧＰＳセンサ
２７  第１の通信部
２８  災害通知ボタン
３０  サーバ装置
３１  第３の情報処理部
３２  出力インターフェース
３３  入力インターフェース
３４  第３のメモリ
３５  第４の通信部
【図１】
2017182254.tif 000003
【図２】
2017182254.tif 000004
【図３】
2017182254.tif 000005
【図４】
2017182254.tif 000006
【図５】
2017182254.tif 000007
【図６】
2017182254.tif 000008
【図７】
2017182254.tif 000009
【図８】
2017182254.tif 000010
【図９】
2017182254.tif 000011
【図１０】
2017182254.tif 000012